(57)【要約】【課題】支持プラットフォーム及び案内接合部を備えたコンピュータ・システムの導入配置を提供すること。【解決手段】支持プラットフォームは、それぞれその中に２つのメモリ・デバイスを受けるための上部及び下部区画を有する。案内接合部は、主ケーシングの側壁に固定して取り付けられるように適合された細長い案内スロット、及び、支持プラットフォームに旋回可能に取り付けられた旋回端部、並びに案内スロットに沿って接合本体に摺動可能に取り付けられて支持プラットフォームを動作位置と導入位置の間で案内する案内端部を有する持上げアームを持つ接合本体を有する。【選択図】図２
2005050360.tif 000002
【特許請求の範囲】
【請求項１】
主ケーシングを備えたコンピュータ・システムのための導入配置であって、
それぞれその中に２つのメモリ・デバイスを受けるための上部及び下部区画を有する支持プラットフォームと、
前記主ケーシングの側壁に固定して取り付けられるように適合された細長い案内スロット、及び、前記支持プラットフォームに旋回可能に取り付けられた旋回端部、並びに前記案内スロットに沿って前記接合本体に摺動可能に取り付けられて前記支持プラットフォームを動作位置と導入位置の間で案内する案内端部を有する持上げアームを有する接合本体を備えた少なくとも１つの案内接合部とを含み、前記動作位置では、前記持上げアームの前記案内端部が前記案内スロットの第１の端部に摺動して前記支持プラットフォームを旋回可能に保持し前記主ケーシング内で静置させ、前記導入位置では、前記持上げアームの前記案内端部が前記案内スロットの反対側の第２の端部に摺動して、前記支持プラットフォームを前記主ケーシングから持ち上げ、それによって、ユーザが、前記他のメモリ・デバイスを前記上部区画で取り外すことなく、前記下部区画で前記メモリ・デバイスを組み立てることができるようになる、導入配置。
【請求項２】
前記支持プラットフォームが、前記支持プラットフォームの後方底部分に設けられた少なくとも１つの反転ヒンジをさらに備えて、前記持上げアームの前記旋回端部を旋回可能に連結し、前記支持プラットフォームが前記旋回端部の周囲で上下逆に反転され、前記上部区画を前記下部区画の下の位置に交換するように適合されている、請求項１に記載の導入配置。
【請求項３】
前記案内スロットが、前記持上げアームの前記案内端部が前記案内スロットに沿って摺動するように案内されて、前記持上げアームを前記接合本体に対して前記案内スロットの位置に従って旋回可能に保持し、前記支持プラットフォームを前記導入位置で前記主ケーシングに対して上方に前方に吊り上げる、所定の曲率半径を有する、請求項１に記載の導入配置。
【請求項４】
前記持上げアームを前記接合本体に旋回可能に連結する枢支接合部をさらに備え、前記枢支接合部が前記案内スロットの前記位置の中心に位置付けられて、前記持上げアームが前記接合本体に対して旋回可能に移動した場合に、前記持上げアームの前記案内端部が前記案内スロットに沿って摺動するように案内されて、前記支持プラットフォームを前記動作位置と前記導入位置の間で移動させる、請求項３に記載の導入配置。
【請求項５】
前記案内スロットの垂直の高さは、前記支持プラットフォームが持ち上げられる最長距離であり、前記案内スロットの水平距離は、前記支持プラットフォームが前方に移動して前記動作位置から前記導入位置に到達する最長距離であり、前記持上げアームの前記案内端部は、前記案内スロットの前記第１の端部でブロックされて前記支持プラットフォームを旋回可能に保持して前記主ケーシング内で静置させ、前記第２の端部でブロックされて前記支持プラットフォームを前記主ケーシングから持ち上げるようになされている、請求項３に記載の導入配置。
【請求項６】
前記接合本体が横方向に延在して収縮面を形成する頂部天井を有して前記支持プラットフォームを支持し、前記案内接合部が、一端が前記持上げアームの前記案内端部に動作可能に連結され、他方の一端が前記接合本体の前記収縮面に対して偏倚している弾性要素をさらに備えて、前記支持プラットフォームを前記動作位置に戻す収縮力を通常与える、請求項２に記載の導入配置。
【請求項７】
前記支持プラットフォームが、前記支持プラットフォームの側部部分から上方に一体式に延びる立脚をさらに有し、前記支持プラットフォームが内向きに上下逆に反転して、前記上部区画の前記位置を前記下部区画の下に替えた場合、前記立脚が前記主ケーシング上に立って、前記支持プラットフォームを前記主ケーシングに対して定位置に支持する、請求項２に記載の導入配置。
【請求項８】
前記支持プラットフォームが、前記上部区画を支持ベースの上方に形成し、前記下部区画を支持ベースの下方に形成して、前記支持プラットフォームが上下逆に反転された場合に、前記下部区画が前記上部区画の上方に位置するようにする支持ベースを備える、請求項２に記載の導入配置。
【請求項９】
前記支持プラットフォームが、前記支持プラットフォームの前記上部区画と連通する前方導入開口部を有し、前記支持プラットフォームが前記動作位置にある場合は、前記前方導入開口部が前記主ケーシングの前記前方開口部と位置合せされるように配置されて、前記主ケーシングの前記前方開口部を前記支持プラットフォームの前記上部区画と連通させる、請求項１に記載の導入配置。
【発明の詳細な説明】
【技術分野】
【０００１】
本発明はコンピュータ・システムに関し、より詳細には、周辺ハードウェア（たとえばＣＤ−ＲＯＭドライブ）を主ケーシングで簡単に好都合に置き換え、又は組み立てることができるようにするコンピュータ・システムの導入配置に関する。
【背景技術】
【０００２】
従来のコンピュータ・システムは通常、ディスプレイ・ユニット、主ケーシング内に設けられた支持プラットフォームを有する主ケーシング、主ケーシング内に配置されたマザーボード、マザーボード上に電気的に取り付けられた中央処理装置、マザーボードに電気的に差し込まれて様々な計算機能を実行する複数のコンピューティング・カード、及び支持プラットフォーム内に固定して取り付けられ、マザーボードに電気的に接続されてコンピュータ・システムにメモリ記憶装置を提供する（ハードドライブ及びＣＩなど）複数のメモリ・デバイスを備える。
【０００３】
支持プラットフォームは、通常、複数の受入区画を有し、ハード・ドライブ、ＣＤ  Ｒｏｍ、フロッピー（登録商標）・ドライブなど上述のメモリ・デバイスが対応する受入区画内に固定して取り付けられるように配置され、コンピュータ・システムの安定かつしっかりした構造が得られるようになされている。
【０００４】
しかし、今日の情報技術の急速な進歩に照らしてみると、搭載したハード・ドライブ、ＣＤ  Ｒｏｍ、フロッピー（登録商標）・ドライブなどは早急に時代遅れのものになり、コンピュータ・システムのユーザは大抵、コンピュータ・システム全体を取り替えるよりも、より高速で容量の大きいハード・ドライブなど、より高度な最新のメモリ・ドライブと交換することを好むことに気付くべきである。
【０００５】
専門家でないユーザは、自分で主ケーシングから関連したメモリ・デバイスを取り出し、次いで、それに新しいものを組み立てる必要があるため、この作業が非常に厄介であるのは必須である。時代遅れのメモリ・デバイスが支持プラットフォームの底部の区画に設置されている場合、ユーザは、メモリ・デバイスを全て１つずつ取り出し、次いでそれらを再び組み立て、設置する以外に選択肢はない。ユーザは専門的な職人ではないため、交換及び分解又は組み立てプロセス中に、いくつかの構成部品、特に非常に小さいスクリューなどが失われ易い。さらに、かなり限定された空間内での複雑な接続のため、メモリ・デバイスが不適切に取り替えられることもある。その場合、当初はより高速でより効率的になるはずであった「新規の」システムが、実際は、より不安定で安全性が低いものになってしまうであろう。その後の輸送で、主ケーシング内の構成部品が損なわれる可能性もある。
【０００６】
したがって、要するに、コンピュータ・システムの従来の導入手順及び配置は、一般に非常に厄介で時間がかかり不満足なものである。
【発明の開示】
【発明が解決しようとする課題】
【０００７】
本発明の主な目的は、メモリ・デバイスなど周辺ハードウェアを主ケーシングに簡単で好都合に交換かつ組み立てることができるようにする、コンピュータ・システムの導入配置を提供することである。
【０００８】
本発明の他の目的は、コンピュータ・システムの主ケーシング内に取り付けられた案内接合部を備えて、支持プラットフォームを回転可能かつ反転可能に持ち上げて、支持プラットフォーム内に保管されたメモリ・デバイスをユーザが交換又はアップグレードするために便利にアクセスできるようにする、コンピュータ・システムの導入配置を提供することである。
【０００９】
本発明の他の目的は、構造が単純であって、主ケーシング内の他のデバイスに対する重大な妨害が生じないようにし、本発明の製造コストを最小限にする、コンピュータ・システムの導入配置を提供することである。
【課題を解決するための手段】
【００１０】
したがって、本発明は、上記の目的を達成するため、主ケーシングを備えたコンピュータ・システムの導入配置であって、それぞれその中に２つのメモリ・デバイスを受けるための上部及び下部区画を有する支持プラットフォームと、主ケーシングの側壁に固定して取り付けられるように適合された細長い案内スロット、及び、支持プラットフォームに旋回可能に取り付けられた旋回端部、並びに案内スロットに沿って接合本体に摺動可能に取り付けられて支持プラットフォームを動作位置と導入位置の間で案内する案内端部を有する持上げアームを有する接合本体を備えた少なくとも１つの案内接合部とを含み、動作位置では、持上げアームの案内端部が案内スロットの一端に摺動して支持プラットフォームを旋回可能に保持し、主ケーシング内で静置させ、導入位置では、持上げアームの案内端部が案内スロットの反対側の端部に摺動して、支持プラットフォームを主ケーシングから持ち上げ、それによって、ユーザが、上部区画で他のメモリ・デバイスを取り外すことなく、下部区画でメモリ・デバイスを組み立てることができるようになる、導入配置を提供する。
【００１１】
本発明の上記その他の目的、特徴、及び利点は、以下の詳細な説明、添付の図面、並びに頭記の特許請求の範囲から明らかになるであろう。
【実施例】
【００１２】
図面の図１及び図２を参照すると、本発明の好ましい実施例によるコンピュータ・システムの導入配置が示してあり、図では、導入配置には、支持プラットフォーム２及び２つの案内接合部が含まれる。このコンピュータ・システムは、主ケーシング１、主ケーシング内に設置されたマザーボード、マザーボードに電気的に取り付けられた中央処理装置、マザーボードに電気的に挿入された複数のコンピューティング・カード、及び支持プラットフォーム２に搭載された（ハードドライブ、ＣＤ−Ｒｏｍドライブなど）複数のメモリ・デバイス（６、７、８）を備えた従来のコンピュータ・システムとして実装されている。
【００１３】
支持プラットフォーム２は、上部区画２０及び下部区画２１を有して、それぞれその中に２つのメモリ・デバイス６、７、８を受ける。各案内接合部は、主ケーシング１の側壁に固定して取り付けられるように適合された細長い案内スロット１１２、及び取付けねじ４を介して支持プラットフォーム２に旋回可能に取り付けられた旋回端部３２、並びに案内スロット１１２に沿って接合本体１１に摺動可能に取り付けられて、動作位置と導入位置の間で移動する支持プラットフォーム２を案内する案内端部３３を有する持上げアーム３を有する接合本体１１を備えており、動作位置では、持上げアーム３の案内端部３３が案内スロット１１２の第１の停止端部に摺動して支持プラットフォーム２を旋回可能に保持し主ケーシング１内で静置させ、導入位置では、持上げアームの案内端部３３が案内スロット２２１に沿ってその第２の反対側の停止端部に摺動して、支持プラットフォーム２を主ケーシング１から持ち上げる。その結果、ユーザは、支持プラットフォーム２の上部区画２０内の他のメモリ・デバイス６、７、８を取り外すことなく、下部区画２１でメモリ・デバイス６、７、８を組み立てることができる。
【００１４】
好ましい実施例によれば、支持プラットフォーム２は支持ベース２６を備えており、上部区画２０は支持ベース２６の上方に形成され、下部区画２１は支持ベース２６の下方に形成されて、支持プラットフォーム２が導入位置で上下逆に反転された場合に、下部区画２１が上部区画２０の上方に位置するようになされている。
【００１５】
案内スロット１１２は、所定の曲率半径を有し、この曲率半径は、持上げアーム３の案内端部３３が、案内スロット１１２に沿って摺動するように案内され、案内スロット１１２の位置に従って持上げアーム３を接合本体１１に対して保持して、導入位置で支持プラットフォーム２を主ケーシング１に対して上方に前方に吊るし上げるようにするものである。
【００１６】
図面の図２を参照すると、導入配置にはさらに、持上げアーム２を接合本体１１に旋回可能に連結する枢支接合部が含まれ、この枢支接合部は、案内スロット１１２の位置の中心に配置され、持上げアーム３が接合本体１１に対して旋回可能に移動する場合に、持上げアーム３の案内端部３３が案内スロット１１２に沿って摺動するように案内され、支持プラットフォーム２を動作位置と導入位置の間で移動させるようになされている。したがって、枢支接合部は、持上げアーム３上で案内端部３３と旋回端部３２の間に形成された固定穴３１、及び接合本体１１上で案内スロット１１２の位置の中心に形成されて固定穴３１と位置合せする位置付け穴１１１を有し、リベットなど連結器が固定穴３１及び位置付け穴１１１を通って延びて、持上げアーム３を接合本体１１に旋回可能に連結する。
【００１７】
換言すれば、持上げアーム３の案内端部３３は、案内スロット１１２に沿って旋回可能に移動して、導入位置と動作位置の間で移動する支持プラットフォーム２を駆動する。したがって、持上げアーム３の運動は細長い案内スロット１１２の位置によって、実質的に案内される。
【００１８】
案内接合部はさらに、導入位置と動作位置の間で移動する支持プラットフォーム２を案内する手段を備える。好ましい実施例によれば、案内手段は好ましくは、持上げアーム３を接合本体１１に旋回可能に取り付ける案内ねじとして実施され、案内ねじは、案内スロット１１２の両端部に到達した場合に、持上げアーム３のさらなる動きを阻止するように配置される。当然、実質的に同じ機能を実現するために、他の明らかな代替実施例を用いることもできる。しかし、案内ねじと取付けねじ４は、どちらも支持プラットフォームを保持する他に、支持プラットフォーム２の反転ヒンジ２２で持上げアーム３を旋回可能に取り付けるため、案内ねじは上記の取付けねじ４として実施されることを指摘することは価値がある。
【００１９】
また、支持プラットフォーム２はさらに、前方導入開口部を備える。この前方導入開口部は、支持プラットフォーム２の上部区画２０と連通して、支持プラットフォーム２が動作位置にある場合に、主ケーシング１の前方開口部と実質的に位置合せされて、主ケーシング１の前方開口部を上部区画２０と連通させるようになされている。換言すれば、本発明のユーザは、支持プラットフォーム２が動作位置にある場合でも、支持プラットフォームの前方導入開口部及び主ケーシングの前方開口部を介して上部区画２０のメモリ・デバイス６、７、８にアクセスすることができる。
【００２０】
接合本体１１は長方形であり、接合本体１１から横方向に延在して収縮面を形成する頂部天井を有する。案内接合部はさらに、一端が持上げアーム３の案内端部３３に連結され、他方の一端が接合本体１１の頂部天井に対して偏倚している弾性コイル５を備える。したがって、持上げアーム３が旋回可能に移動されて、動作位置から導入位置に移動する支持プラットフォーム２を駆動する場合に、案内端部３３は案内スロット１１２に沿って移動し、弾性コイル５は弾性的に伸張する。換言すれば、弾性コイル５は通常、動作位置に戻る支持プラットフォーム２を戻す助けをする収縮力を与える。支持プラットフォーム２が導入位置にある場合は、案内スロット１１２の曲率半径により、支持プラットフォーム２は導入位置内に幾何学的に保持される。ユーザが支持プラットフォーム２を動作位置に戻すことを望む場合は、単に支持プラットフォーム２をわずかに押して、持上げアーム３が案内スロット１１２に沿ってわずかに押し戻されるようにすると、弾性コイル５が支持プラットフォーム２を動作位置に確実に戻す。
【００２１】
支持プラットフォーム２はさらに、それぞれ支持プラットフォーム２の２つの後方底部部分に設けられ、一体式に下方に延びて、それぞれ枢支孔２２１を通ってそれぞれ持上げアーム３のそれぞれ旋回端部３２に旋回可能に連結された２つの反転ヒンジ２２を備える。
【００２２】
図面の図３から図４を参照すると、支持プラットフォーム２が動作位置にある場合、支持プラットフォーム２は主ケーシング１内で静置され、主ケーシング１の前方開口部と実質的に位置合せされて、図面の図４で示したように、ＣＤ−Ｒｏｍドライブなどメモリ・デバイス６、７、８を対応する区画２０、２１内に好都合に導入することができるようになされている。
【００２３】
支持プラットフォーム２はさらに、上部区画２０上に形成されたメモリ分割部を備えて、上部区画２０を互いに隣接した２つの副区画に分離することができるようになされている。したがって、２つのメモリ・デバイス６、７、８をそれぞれ副区画内に導入し、その２つの副区画をそれぞれ主ケーシング１の前方開口部と実質的に位置合せして、ユーザがそれぞれ操作スロットを介して関連したメモリ・デバイス６、７、８を制御することができるようになされている。
【００２４】
図面の図５から６を参照すると、支持プラットフォーム２が導入位置にある場合、支持プラットフォーム２は主ケーシング１に対して上方に前方に吊り上げられており、支持プラットフォーム２を持ち上げることができる範囲は、接合本体１１上に形成された細長い案内スロット１１２の長さ及び曲率半径によって実質的に制限される。したがって、細長い案内スロット１１２の第１と第２の停止端部の間の垂直距離が、支持プラットフォーム２を持ち上げることができる最大限の垂直距離に等しいことを理解することは重要である。同様に、細長い案内スロット１１２の第１と第２の停止端部の間の水平距離は、支持プラットフォーム２を主ケーシング１に対して前方に移動させて導入位置に到達できるようにする最大限の距離を実質的に決定する。換言すれば、持上げアーム３の案内端部３３は、案内スロット１１２の第１の端部でブロックされて、支持プラットフォーム２を旋回可能に保持して主ケーシング１内で静置させ、第２の端部でブロックされて、支持プラットフォーム２を主ケーシング１から持上げる。
【００２５】
図面の図７から８を参照すると、持上げアーム２２の旋回端部３２は、支持プラットフォーム２が持上げアーム３の旋回端部３２の周囲で回転することができるように、支持プラットフォーム２の反転ヒンジ２２で回転可能に取り付けられて、主ケーシング１に向かって１８０°を超えて内向きに反転し、支持プラットフォーム２の上部区画と下部区画２１の垂直の位置を交換することができるようになされている。
【００２６】
その結果、図面の図８で示したように、最初に支持プラットフォーム２の下部区画２１内に搭載されたハード・ディスクなどメモリ・デバイス６、７、８が反転されて、本発明のユーザに前部が露出され、好都合に交換又は更新することができるようになる。
【００２７】
図面の図９から１０を参照すると、上部区画２０と下部区画２１の垂直の位置が交換されると、すなわち上下を反転させた後に上部区画２０が下部区画２１の下に位置すると、ユーザは下部区画２１に非常に簡単にアクセスして、メモリ・デバイス６、７、８を交換又は導入することができるようになる。さらに、反転運動によって、支持プラットフォーム２の前側と後側の位置交換も生じる。したがって、通常、信号用入口が設けられている対応するメモリ・デバイス６、７、８の後側が主ケーシング１に対して反転されて前側に露出されて、ユーザは前部からメモリ・デバイス６、７、８をマザーボードに簡単に接続／遮断して、問題のメモリ・デバイス６、７、８を搭載／交換することができるようになる。
【００２８】
図面の図６、図７、及び図１１を参照すると、支持プラットフォーム２はさらに、支持プラットフォーム２の２つの前側部分から上方に一体式に延びる２本の立脚２３を有しており、支持プラットフォーム２が内向きに反転されて上部区画２０と下部区画２１の位置が交換された場合、２本の立脚２３が主ケーシング１と係合し、その上に立って、支持プラットフォーム２を主ケーシング１に対して定位置に支持するようになされている。したがって、本発明のユーザは、最大の便宜性、安定性、柔軟性を伴って、ハードドライブなどメモリ・デバイス６、７、８を導入又は交換することができる。
【００２９】
明らかに、ユーザはメモリ・デバイス（６、７、８）を関連した区画２０、２１内に導入し更新した後、支持プラットフォーム２を元の位置（たとえば導入位置）に反転させて戻し、全て終了した後に、支持プラットフォーム２を弾性コイル５の助けで動作位置に旋回して戻すことができる。
【００３０】
結論として、上記の記載は実質的に本発明の上述の目的を果たすものである。
【００３１】
当業者には理解されるように、図面で示し、上記に記載した本発明の実施例は、単に例示のものであって限定的なものではない。
【００３２】
したがって、本発明の目的は十分に効果的に達成されたことが分かるであろう。実施例は本発明の機能的かつ構造的原理を示す目的で図示し記載したものであり、こうした原理から逸脱することなく変更を加えることができる。したがって本発明は、全ての変更を頭記の特許請求の精神及び範囲に包含する。
【図面の簡単な説明】
【００３３】
【図１】本発明の好ましい実施例によるコンピュータ・システムのための導入配置を示す斜視図である。
【図２】本発明の上記の好ましい実施例によるコンピュータ・システムのための導入配置を示す分解斜視図である。
【図３】メモリ・デバイスが特定の区画に導入されるところを示す、本発明の上記の好ましい実施例による導入配置を示す概略斜視図である。
【図４】メモリ・デバイスが特定の区画に導入されたところを示す、本発明の上記の好ましい実施例による導入配置を示す概略斜視図である。
【図５】支持プラットフォームが導入位置にあるところを示す、本発明の上記の好ましい実施例による導入配置を示す概略斜視図である。
【図６】支持プラットフォームが導入位置にあるところを示す、本発明の上記の好ましい実施例による導入配置を示す側面図である。
【図７】支持プラットフォームが持上げアームの周りで反転するところを示す、本発明の上記の好ましい実施例による導入配置を示す概略斜視図である。
【図８】支持プラットフォームが持上げアームの周りで反転したところを示す、本発明の上記の好ましい実施例による導入配置を示す概略斜視図である。
【図９】支持プラットフォームが反転したところを示す、本発明の上記の好ましい実施例による導入配置を示す側面図である。
【図１０】下部区画が反転して、メモリ・デバイスが導入されるところを示す、本発明の上記の好ましい実施例による導入配置を示す概略斜視図である。
【図１１】メモリ・デバイスが下部区画に導入されたところを示す、本発明の上記の好ましい実施例による導入配置を示す斜視図である。
【符号の説明】
【００３４】
１  主ケーシング
２  支持プラットフォーム
３  持上げアーム
４  取付けねじ
５  弾性コイル
６、７、８  メモリ・デバイス
１１  接合本体
２０  上部区画
２１  下部区画
２２  反転ヒンジ
２３  立脚
２６  支持ベース
３１  固定穴
３２  旋回端部
３３  案内端部
１１１  位置付け穴
１１２  案内スロット
２２１  枢支孔
【図１】
2005050360.tif 000003
【図２】
2005050360.tif 000004
【図３】
2005050360.tif 000005
【図４】
2005050360.tif 000006
【図５】
2005050360.tif 000007
【図６】
2005050360.tif 000008
【図７】
2005050360.tif 000009
【図８】
2005050360.tif 000010
【図９】
2005050360.tif 000011
【図１０】
2005050360.tif 000012
【図１１】
2005050360.tif 000013
【外国語明細書】
2005050360.tif 000014
2005050360.tif 000015
2005050360.tif 000016
2005050360.tif 000017
2005050360.tif 000018
2005050360.tif 000019
2005050360.tif 000020
2005050360.tif 000021
2005050360.tif 000022
2005050360.tif 000023
2005050360.tif 000024
2005050360.tif 000025
2005050360.tif 000026
2005050360.tif 000027
2005050360.tif 000028
2005050360.tif 000029
2005050360.tif 000030
2005050360.tif 000031
2005050360.tif 000032
2005050360.tif 000033
2005050360.tif 000034
2005050360.tif 000035
2005050360.tif 000036
2005050360.tif 000037
2005050360.tif 000038